(57)【要約】      （修正有）【課題】腕時計が受けた最大加速度を確実に表示する衝撃インジケータを提供する。【解決手段】腕時計用の衝撃インジケータ１であって、腕時計の内部にあり、構造体１０を備え、この構造体１０に少なくとも１つの慣性ブロック２が、弾性または延性または崩壊性材料で作製された少なくとも１つの接続部材３を用いて固定され、接続部材３は、慣性ブロック２に動きが加わったときに弾性または可塑性によって変形可能であり、この慣性ブロック２は、構造体１０自体に含まれる、または腕時計ケースの別の部材に含まれる固定対向面５の近辺で可動であり、この慣性ブロック２に加わった加速度が所与の加速度閾値よりも高いときに、この対向面５と接触して、衝撃インジケータ１に組み込まれている慣性ブロック２および／もしくは接続部材３および／もしくは対向面５、ならびに／もしくは崩壊性部材への衝撃または永続的変形または損傷する。【選択図】図１
2019015726.tif 000002
【特許請求の範囲】
【請求項１】
腕時計（１００）用の衝撃インジケータ装置（１）であって、腕時計の内部に挿入されるように構成され、構造部材（１０）を備え、前記構造部材に少なくとも１つの慣性ブロック（２）が、弾性または延性または崩壊性材料で作製された少なくとも１つの接続部材（３）を用いて固定され、前記接続部材は、前記少なくとも１つの慣性ブロック（２）に動きが加わったときに弾性または可塑性によって変形可能である、衝撃インジケータにおいて、少なくとも１つの前記慣性ブロック（２）は、前記構造体（１０）自体に含まれる、または腕時計ケース（１１０）の別の部材（１２０）に含まれる固定対向面（５）の近辺で可動であり、前記少なくとも１つの慣性ブロック（２）に加わった加速度が所与の低加速度閾値よりも高いときに、対向面（５）と接触して、前記衝撃インジケータ装置（１）に組み込まれている前記慣性ブロック（２）および／もしくは前記接続部材（３）および／もしくは前記対向面（５）、または崩壊性部材（８）への衝撃または永続的変形または損傷の証明インジケータ（２０）を提供するように構成されることを特徴とする、衝撃インジケータ装置（１）。
【請求項２】
少なくとも１つの前記慣性ブロック（２）は、前記対向面（５）と対になり、前記慣性ブロック（２）のみが前記対向面と協働して共に衝撃証明インジケータ（２０）を形成することを特徴とする、請求項１に記載の衝撃インジケータ装置（１）。
【請求項３】
少なくとも１つの前記慣性ブロック（２）は、前記構造体（１０）のハウジング（４）の内部で、前記ハウジング（４）の壁（６）の内面である前記対向面（５）の近辺で可動であり、前記少なくとも１つの慣性ブロック（２）に加わった加速度が所与の低加速度閾値よりも高いときに、前記対向面（５）と接触するように構成されていることを特徴とする、請求項１に記載の衝撃インジケータ装置（１）。
【請求項４】
前記慣性ブロック（２）および／または前記対向面（５）を有する構成要素は、弾性または延性または崩壊性材料で作製され、前記材料は、前記少なくとも１つの慣性ブロック（２）に動きが加わったときに弾性または可塑性によって変形可能であることを特徴とする、請求項１に記載の衝撃インジケータ装置（１）。
【請求項５】
少なくとも１つの前記慣性ブロック（２）は、前記構造体（１０）のハウジング（４）の内部で、前記ハウジング（４）の壁（６）の内面である前記対向面（５）の近辺で可動であり、前記少なくとも１つの慣性ブロック（２）に加わった加速度が所与の低加速度閾値よりも高いときに、前記対向面（５）と接触するように構成されていることを特徴とし、かつ、前記衝撃証明インジケータ（２０）では、前記壁（６）は、前記慣性ブロック（２）が当たったとき、前記慣性ブロック（２）が前記低加速度閾値よりも高い加速度に供されたときに、不可逆的な局所変形を受けるように構成されていることを特徴とする、請求項２に記載の衝撃インジケータ装置（１）。
【請求項６】
少なくとも１つの前記慣性ブロック（２）は、前記構造体（１０）のハウジング（４）の内部で、前記ハウジング（４）の壁（６）の内面である前記対向面（５）の近辺で可動であり、前記少なくとも１つの慣性ブロック（２）に加わった加速度が所与の低加速度閾値よりも高いときに、前記対向面（５）と接触するように構成されていることを特徴とし、かつ、前記衝撃証明インジケータ（２０）では、前記慣性ブロック（２）は、前記慣性ブロック（２）が前記低加速度閾値よりも高い加速度に供されたときに、前記壁（６）に当たって不可逆的な局所変形を受けるように構成されていることを特徴とする、請求項２に記載の衝撃インジケータ装置（１）。
【請求項７】
少なくとも１つの前記慣性ブロック（２）は、前記構造体（１０）のハウジング（４）の内部で、前記ハウジング（４）の壁（６）の内面である前記対向面（５）の近辺で可動であり、前記少なくとも１つの慣性ブロック（２）に加わった加速度が所与の低加速度閾値よりも高いときに、前記対向面（５）と接触するように構成されていることを特徴とし、かつ、前記衝撃証明インジケータ（２０）では、前記壁（６）は、前記対向面（５）が表面層（７）でコーティングされ、前記表面層は、前記慣性ブロック（２）が当たったとき、前記慣性ブロック（２）が前記低加速度閾値よりも高い加速度に供されたときに、前記慣性ブロック（２）に少なくとも部分的に転写されることを特徴とする、請求項２に記載の衝撃インジケータ装置（１）。
【請求項８】
少なくとも１つの前記慣性ブロック（２）は、前記構造体（１０）のハウジング（４）の内部で、前記ハウジング（４）の壁（６）の内面である前記対向面（５）の近辺で可動であり、前記少なくとも１つの慣性ブロック（２）に加わった加速度が所与の低加速度閾値よりも高いときに、前記対向面（５）と接触するように構成されていることを特徴とし、かつ、前記衝撃証明インジケータ（２０）では、前記慣性ブロック（２）は、表面層（７）でコーティングされ、前記表面層は、前記慣性ブロックが前記壁（６）に当たったとき、前記慣性ブロックが前記低加速度閾値よりも高い加速度に供されたときに、前記対向面（５）に少なくとも部分的に転写されることを特徴とする、請求項２に記載の衝撃インジケータ装置（１）。
【請求項９】
前記対向面（５）は、前記構造体（１０）の壁または前記他の部材（１２０）の壁であり、前記壁は可逆的に変形可能であることを特徴とする、請求項１に記載の衝撃インジケータ装置（１）。
【請求項１０】
少なくとも１つの前記慣性ブロック（２）は、前記構造体（１０）のハウジング（４）の内部で、前記ハウジング（４）の壁（６）の内面である前記対向面（５）の近辺で可動であり、前記少なくとも１つの慣性ブロック（２）に加わった加速度が所与の低加速度閾値よりも高いときに、前記対向面（５）と接触するように構成されていることを特徴とし、かつ、前記衝撃証明インジケータ（２０）では、前記慣性ブロック（２）は、前記対向面（５）の近辺に構成されている崩壊性部材（８）に当たるように構成され、前記崩壊性部材が前記慣性ブロック（２）および／または前記壁（６）と衝突したとき、前記慣性ブロックが前記低加速度閾値よりも高い加速度に供されたときに、前記崩壊性部材（８）を少なくとも部分的に崩壊させるように構成されていることを特徴とする、請求項２に記載の衝撃インジケータ装置（１）。
【請求項１１】
少なくとも１つの前記崩壊性部材（８）は、前記ハウジング（４）内部の可撓性外被（９）内に包囲されるため、前記崩壊性部材（８）が損傷した場合、前記損傷から生じた破片は前記可撓性外被（９）内に包囲されたままになることを特徴とする、請求項１０に記載の衝撃インジケータ装置（１）。
【請求項１２】
少なくとも１つの前記ハウジング（４）は、前記慣性ブロック（２）と、前記慣性ブロック（２）に連結している少なくとも１つの接続部材（３）とを完全に包囲することを特徴とする、請求項３に記載の衝撃インジケータ装置（１）。
【請求項１３】
前記慣性ブロック（２）と協働するように構成された少なくとも１つの前記対向面（５）は、複数の自由度で衝撃の形跡を残すために筒状または球形であることを特徴とする、請求項１に記載の衝撃インジケータ装置（１）。
【請求項１４】
少なくとも１つの前記慣性ブロック（２）は、複数の自由度で衝撃の形跡を残すために筒状または球形であることを特徴とする、請求項１に記載の衝撃インジケータ装置（１）。
【請求項１５】
少なくとも１つの前記接続部材（３）は、実質的に直線状、固体または管状の弾性ストリップであることを特徴とする、請求項１に記載の衝撃インジケータ装置（１）。
【請求項１６】
少なくとも１つの前記接続部材（３）は、少なくとも１つのワイヤを含むことを特徴とする、請求項１に記載の衝撃インジケータ装置（１）。
【請求項１７】
少なくとも１つの前記接続部材（３）は、少なくとも１つの螺旋ばね（３２）または１つの渦巻ばねを含むことを特徴とする、請求項１に記載の衝撃インジケータ装置（１）。
【請求項１８】
前記装置（１）は、複数の前記接続部材（３）を含むことを特徴とする、請求項１に記載の衝撃インジケータ装置（１）。
【請求項１９】
前記接続部材（３）は、同一ではなく、異なる特徴を有し、各々が可塑性の範囲で永続的な変形を受けるように、または、他の前記接続部材（３）の加速度閾値とは異なる加速度閾値に達すると直ちに崩壊するように構成されていることを特徴とする、請求項１８に記載の衝撃インジケータ装置（１）。
【請求項２０】
少なくとも１つの前記ハウジング（４）は、前記腕時計（１００）の使用者の手が届かないキャップ（４１）で密閉されることを特徴とする、請求項１に記載の衝撃インジケータ（１）。
【請求項２１】
前記装置（１）は、低加速度閾値が異なっていることで区別される複数の前記衝撃証明インジケータ（２）を備えていることを特徴とする、請求項２に記載の衝撃インジケータ装置（１）。
【請求項２２】
請求項１に記載の衝撃インジケータ装置（１）を少なくとも１つ備えている腕時計（１００）。
【請求項２３】
少なくとも１つの前記構造体（１０）は、前記腕時計（１００）のケース（１１０）の一部材に固定されるか、前記ケース（１１０）と一体化しているか、前記ケース（１１０）の一部であることを特徴とする、請求項２２に記載の腕時計（１００）。
【発明の詳細な説明】
【技術分野】
【０００１】
本発明は、腕時計用の衝撃インジケータ装置であって、腕時計の内部に挿入されるように構成され、構造部材を備え、この構造部材に少なくとも１つの慣性ブロックが、弾性または延性または崩壊性材料で作製された少なくとも１つの接続部材を用いて装着され、接続部材は、前記少なくとも１つの慣性ブロックに動きが加わったときに弾性または可塑性によって変形可能である、衝撃インジケータに関する。
【０００２】
本発明は、そのような衝撃インジケータを少なくとも１つ備えている腕時計にも関する。
【０００３】
本発明は、腕時計の分野、さらに詳細には、高度に複雑な腕時計など、使用に慎重を要する高級腕時計に対する専門家のアフターサービスに関する。
【背景技術】
【０００４】
衝撃は、腕時計業界で頻発する問題である。腕時計は、いくつかのＮＩＨＳ（スイス時計工業）規格に従って、特定の高さからの落下に対して耐性があることが証明されている。しかしながら、実際には、衝撃の最中に腕時計が受ける実際の加速度を定量化することは困難である。衝撃に関する研究計画の過程、または実験施設で実行された（外側部分またはムーブメントの）証明試験の過程で、この最大加速度の値は、いくつかの高価な測定装置および実施が困難な処置を用いて得られる。
【０００５】
しかしながら、この情報に迅速かつ容易にたどり着ける装置はない。さらに、消費者から返品された場合に、アフターサービスの担当者は、時計の履歴または時計が受けた衝撃に関する情報を持ち合わせていない。そのような表示があれば、時には問題を認め、ムーブメントの内部で起きた何らかの損傷をより迅速に特定できることがある。
【０００６】
Ｍａｎｕｆａｃｔｕｒｅ  Ｈｏｒｌｏｇｅｒｅ  ｄｅ  ｌａ  Ｖａｌｌｅｅ  ｄｅ  Ｊｏｕｘの名によるスイス国特許出願第７０１８６７Ａ１号明細書には、腕時計が受けた加速度に関する規模を測定して表示する装置を備えている腕時計が開示され、この装置は、規模を表示する部材と、表示部材を駆動するように構成された可動式おもりと、可動式おもりの動きに影響を及ぼすように構成された弾性手段とを備え、前記おもりは、腕時計が加速度に供されたときに、弾性手段によってかかる作用とは逆の方向に静止位置から慣性によって動くように取り付けられて、振幅がおもりの瞬間的な動きの関数である動きの中で表示部材を駆動する。
【先行技術文献】
【特許文献】
【０００７】
【特許文献１】スイス国特許出願第７０１８６７Ａ１号明細書
【発明の概要】
【０００８】
本発明は、腕時計の内部にある腕時計用の衝撃インジケータであって、腕時計の分解後のみにアクセスでき、信頼性があり、安価で、試験中または消費者の使用中に腕時計が受けた最大加速度を確実に表示する衝撃インジケータを開発することを提案する。
【０００９】
そのために、本発明は、請求項１に記載の腕時計用の衝撃インジケータ装置に関する。
【００１０】
本発明は、そのような衝撃インジケータを少なくとも１つ備えている腕時計にも関する。
【００１１】
本発明のその他の特徴および利点は、添付の図面を参照して以下の詳細な説明を読めば明らかになるであろう。
【図面の簡単な説明】
【００１２】
【図１】本発明による衝撃インジケータ装置の概略斜視図であり、衝撃インジケータは、腕時計に組み込まれるように意図され、視覚による衝撃証明インジケータを備え、衝撃証明インジケータは、ハウジング内部にあり、ハウジングの内面と対面し、この内面の直近にある可動式慣性ブロックからなり、この慣性ブロックは、構造体に固定された弾性接続部材に懸架され、腕時計に重大な衝撃が起きた場合に、慣性ブロックに加わった加速度が所与の低加速度閾値よりも高いとき、ハウジングの内面または慣性ブロック自体の周囲のいずれかに永続的な形跡を生み出すように構成されている。
【図２】衝撃インジケータの別の変形例を図１と同様に示した図であり、ハウジングの一部のみが二面体の形態で示され、慣性ブロックは、ハウジングの壁よりも延性が低く、壁は衝撃の最中に不可逆的に変形している。
【図３】別の変形例を図２と同様に示した図であり、ハウジングの壁は内側が表面層でコーティングされ、表面層は、慣性ブロックが当たったときに転写堆積物の形態で慣性ブロックに転写されるように構成されている。
【図４】一列に並んだ慣性ブロックを備え、各々の慣性ブロックの加速度閾値が異なる衝撃インジケータの別の変形例を図２と同様に示した図である。
【図５】一列に並んだ慣性ブロックを備え、各々の慣性ブロックの加速度閾値が異なる衝撃インジケータの別の変形例を図３と同様に示した図であり、慣性ブロックの壁は外側が表面層でコーティングされ、表面層は、慣性ブロックが当たったときに転写堆積物の形態でハウジングの内壁に転写されるように構成されている。
【図６】別の変形例を図１と同様に示した図であり、慣性ブロックは、ハウジングの内面近くに構成された崩壊性部材の崩壊性材料に当たるように構成され、かつ前記慣性ブロックが壁に当たったとき、慣性ブロックが低加速度閾値よりも高い加速度に供されたときに、前記材料を崩壊させるように構成されている。
【図７】様々な加速度閾値の下で崩壊するように構成されるか、図６の変形例による少なくとも１つの慣性ブロックと協働するように構成された複数の崩壊性部材を含む別の変形例の概略斜視図である。
【図８】慣性ブロックがハウジングの壁よりも延性が高く、衝撃の最中に不可逆的に変形する別の変形例を図２と同様に示した図であり、衝撃を受ける前の図である。
【図９】慣性ブロックがハウジングの壁よりも延性が高く、衝撃の最中に不可逆的に変形する別の変形例を図２と同様に示した図であり、衝撃を受けた後の図である。
【図１０】別の変形例の概略断面図であり、この場合、構造体は、厚みに筒状ハウジングを有する腕時計ケース中央部であり、このハウジングの中で慣性ブロックが螺旋ばねに懸架され、螺旋ばねは、使用者の手が届かない側のケース中央部にねじ止めされたキャップの内側に固定されている。
【図１１】別の変形例の概略的な切り欠き斜視図であり、構造体は、同じく腕時計ケース中央部であり、この構造体の使用者の手が届かない側に、本発明による衝撃証明インジケータを内包している第１のインサートが配置され、外側部分が図示されていない第２のインサートの基体は、複数の慣性ブロックを含んでいる櫛状部材を有し、各々慣性ブロックは接続部材の端部にある。
【図１２】別の変形例の概略的な切り欠き斜視図であり、図６と同様の複数の崩壊性部材を備えている筒状ハウジングがハウジングの母面に構成され、同様の慣性ブロックは崩壊性部材どうしの間で動くことができる。
【図１３】ハウジングが球形である別の同様の変形例を図１０と同様に示した図である。
【図１４】別の同様の変形例を図１３と同様に示した図であり、慣性ブロックは、複数の接続部材に懸架され、衝撃インジケータの組立体は、図１１と同様に、構造体に配置されたインサートの内部にある。
【図１５】別の同様の変形例を図１４と同様に示した図であり、慣性ブロックは２つのワイヤに懸架され、衝撃インジケータの組立体は、構造体に配置されたインサートの内部にある。
【図１６】図示した他の変形例の逆である別の変形例を図１１と同様に示した図であり、腕時計プレートがＶ字型を形成する２つの可撓性ストリップを備え、このストリップは共同でＵ字型の慣性ブロックを保持し、慣性ブロックは、ケース中央部に固定されたピンを包囲し、対向面を有する。
【発明を実施するための形態】
【００１３】
よって本発明は、腕時計の内部に挿入するように構成された腕時計１００用の衝撃インジケータ装置１に関する。
【００１４】
本発明は、いくつかの可能な変形例を有する。
【００１５】
基本機構は、少なくとも１つの接続部材３に固定された少なくとも１つの慣性ブロック２を備えている。特定の実施形態では、この接続部材３は、可撓性であり、特にばね型のものである。接続部材３の端部にある慣性ブロック２、および接続部材３の軸方向および／または径方向の硬さは公知のものである。したがって、印加された加速度に応じて組立体の変形を分析的かつ／または数値的かつ／または実験的に計算することは容易である。
【００１６】
この挙動を利用するにあたりいくつかの解決策が可能であり、図面に示している。
【００１７】
衝撃インジケータ装置１は、構造体１０を備え、この構造体に少なくとも１つの慣性ブロック２が、弾性または延性または崩壊性材料で作製された少なくとも１つの接続部材３を用いて固定され、接続部材は、対応する慣性ブロック２に動きが加わったときに弾性または可塑性によって変形可能である。
【００１８】
特に非限定的に、この接続部材３は、構造体１０に直接嵌合するか、構造体に配置され固定された基体３１などに嵌合する。
【００１９】
本発明によれば、少なくとも１つの慣性ブロック２は、構造体１０に含まれる、または腕時計ケース１１０の別の部材１２０に含まれる固定対向面５の近辺で可動である。
【００２０】
この慣性ブロック２は、この少なくとも１つの慣性ブロック２に加わった加速度が所与の低加速度閾値よりも高いときに、対向面５と接触して、衝撃インジケータ装置１に組み込まれている慣性ブロック２および／もしくは接続部材３および／もしくは対向面５、ならびに／または図６または図１２に見られる特定の変形例について以下に記載する崩壊性部材８を衝撃インジケータが備えている場合はその崩壊性部材への衝撃または永続的変形または損傷の証明インジケータを提供するように構成されている。
【００２１】
偶発的な衝撃に関する加速度値は、一般に約１５００ｇ〜５０００ｇである。１３００ｇの値を所与の低加速度閾値として保持してよい。
【００２２】
さらに詳細には、少なくとも１つの慣性ブロック２は、対向面５、特に内面と対になり、前記慣性ブロック２のみがこの対向面と協働して共に衝撃証明インジケータ２０を形成する。またさらに詳細には、各慣性ブロック２は、１つのそのような対向面５と対になり、前記慣性ブロック２のみがこの対向面と協働して、１つのそのような衝撃証明インジケータ２０を形成する。
【００２３】
変形例では、慣性ブロック２および／または対向面５を有する構成要素は、弾性または延性または崩壊性材料で作製され、この材料は、前記少なくとも１つの慣性ブロック２に動きが加わったときに弾性または可塑性によって変形可能である。
【００２４】
特定の実施形態では、少なくとも１つのそのような慣性ブロック２は、構造体１０のハウジング４の内部の、対向面５、特にハウジング４の壁６の内面の近辺で可動である。この慣性ブロック２は、その中で、前記少なくとも１つの慣性ブロック２に加わった加速度が所与の低加速度閾値よりも高いときに、対向面５、特に内面と接触するように構成されている。
【００２５】
本発明は様々な方法で実施でき、そのいくつかを非限定的に図面を用いて説明する。
【００２６】
まず、接続部材３は、変形例によれば、弾性または延性または崩壊性材料で作製されてよく、弾性または可塑性によって変形可能であってよいことがわかる。
【００２７】
接続部材３が弾性材料で作製されている好適な変形例では、接続部材３は、１つの実質的に直線状の弾性ストリップ、または複数のそのような弾性ストリップの形態をとることができ、複数の弾性ストリップは、弾性だがそれに限らず、互いに平行であるか、少なくとも１つの螺旋ばね３２、または渦巻ばねなどを含んでいる。
【００２８】
弾性ストリップは、本明細書では最も広い意味で、角柱形、円筒形もしくはその他の支持片、中実もしくは中空、または基本支持片からなる複合組立体であってもよいと解釈する。
【００２９】
一変形例では、接続部材３は、少なくとも１つのワイヤ、とりわけねじれワイヤを含んでいてもよい。特定の変形例では、慣性ブロック２は、単に２本の張ったワイヤの間に構成される。
【００３０】
弾性限度が高いことが好ましいそのような接続部材３は、腕時計の設計の対象とする加速度の全体範囲内で弾性により変形可能であり、静止位置に戻るように設計され、それによっていくつかの衝撃を同じ慣性ブロック２に対して記録でき、本発明はこのように、慣性ブロック２が受けた最大加速度の規模、および腕時計１００のケース１１０に対する加速度の方向も明らかにすることを試みるものである。接続部材３は、特に、ＭＥＭＳまたはＬＩＧＡまたはこれに類似のプロセスでマイクロマシニングが可能なシリコン、ＤＬＣなどの材料で作製されてもよいし、あるいは弾性率が２００ＧＰａよりも高い時計用のばね鋼、またはこれに類似の材料で作製されてもよい。
【００３１】
接続部材３、または慣性ブロック２、または対向面５を有する構成要素が弾性限度の低い材料で作製されている場合、弾性範囲は非常に狭く、接続部材３、または慣性ブロック２、または対向面５を有する構成要素は、加速度または比較的小さい衝撃の作用で永続的な可塑性変形を受け、これはアフターサービスの際に容易に観察される。その場合、接続部材３、または慣性ブロック２、または対向面５を有する構成要素は、例えばアルミニウム合金などの軽合金、または銀もしくは金から作製された貴金属合金、または弾性率が７０ＧＰａよりも低い別の材料で作製されていることがある。
【００３２】
衝撃インジケータ装置１が、崩壊性材料で作製された部材、例えば接続部材３、または崩壊性部材８を含んでいる特定の変形例では、崩壊性材料で作製されたこの部材は、比較的低い弾性限度閾値で崩壊するように設計される。ただし、この変形例が意味しているのは、必要に応じて、接続部材３、各々の崩壊性部材８、および接続部材３が保持する慣性ブロック２は、ハウジング４が密閉されていて腕時計１００の機構が破片から悪影響を受けそうになければ直接閉じ込められるか、あるいはハウジング４内部に配置された可撓性外被９に包囲されなければならず、それによって、接続部材３、または崩壊性部材８に損傷が起きた場合でも、その損傷から生じた破片は可撓性外被９の中に閉じ込められたままになるということである。この接続部材３または崩壊性部材８は、弾性率が５０ＧＰａよりも低い材料で作製され得る。
【００３３】
図１〜図６、図８、図９および図１２は、接続部材３が構造体１０への装着点に対して軸Ｄ周りで湾曲可能な事例を示している。図１０および図１３は、接続部材３が構造体１０への装着点に対して軸Ｄ周りで単純に湾曲するのではなく、軸Ｄ周りで収縮または拡張するように軸沿いにも可動である別の変形例を示しており、これによって衝撃を３次元で表示することが可能になる。接続部材３のこれらの変形実施形態は限定的ではない。
【００３４】
図１４は慣性ブロック２が複数の接続部材３に懸架されている別の変形例を示し、この特定の事例では、慣性ブロックの両側にある第１の接続部材３Ａおよび第２の接続部材３Ｂが、この場合は非限定的に螺旋ばね３２Ａおよび３２Ｂによって形成されている。実際、他の図は、接続部材３の装着部に対して片持ちにされている接続部材３と慣性ブロック２との組立体を示しているが、これらは特定の非限定的な例であり、これらも本発明の代替の特徴をさらに簡易に示すことが可能である。
【００３５】
この後者の変形例の特定の応用では、慣性ブロック２が複数の接続部材３に懸架されている場合、これらの接続部材は同一ではなく、異なる特徴を有し、例えば第１の接続部材は、可塑性の範囲で永続的な変形を受けるように、または第１の加速度閾値に達すると直ちに崩壊するように構成され、第２の接続部材は、可塑性の範囲で永続的な変形を受けるように、または第２の加速度閾値に達すると直ちに崩壊するように構成されている等々である。
【００３６】
一変形例では、少なくとも１つの接続部材３は、その接続部材が保持する慣性ブロック２との一体部品として作製される。
【００３７】
別の変形例では、少なくとも１つの接続部材３は、その接続部材を保持する構造体１０との一体部品として作製される。
【００３８】
さらに別の変形例では、少なくとも１つの接続部材３は、その接続部材が保持する慣性ブロック２と、その接続部材を保持する構造体１０との一体部品として作製される。
【００３９】
慣性ブロック２と、対向面５、とりわけ衝撃証明インジケータ２０を形成している内面との間のトルクは、研究施設またはアフターサービスの技師から重大な衝撃の形跡が容易に見えるように構成されている。そのために、衝撃証明インジケータ２０は、慣性ブロック２および／または対向面５、とりわけ内面に３次元の形跡、および／または目に見える形跡を残すように構成されている。
【００４０】
図２の実施形態では、衝撃証明インジケータ２０において、少なくとも１つの壁６、好ましくはすべての壁６は、慣性ブロック２が当たったとき、慣性ブロック２が低加速度閾値よりも高い加速度に供されたときに不可逆的な局所変形を受けるように構成されている。図２は簡易化して示され、ハウジング４は一部のみであり、２つの内面５は直角に二面体を形成し、各内面は、慣性ブロック２が異なる方向にもたらした衝撃によって生じた異なるサイズの変形形跡を有している。ハウジング４は、多面体の内面、または接続部材３の線形の軸と一致する軸を中心とする、筒状体、楕円体、球体などの回転体の内面であってもよい。特に、慣性ブロック２と協働するように構成された少なくとも１つの対向面５、とりわけ内面は、複数の自由度で衝撃の形跡を残すために筒状または球形である。
【００４１】
さらに詳細には、また非限定的に示した変形例に見られるように、少なくとも１つの慣性ブロック２は、複数の自由度で衝撃の形跡を残すために筒状または球形である。
【００４２】
図２の実施形態では、慣性ブロック２は、例えば粘土もしくはプラスティシーンなどの変形可能な材料に、またはさらに一般的には慣性ブロック２よりも延性が高い壁６に、不可逆的に衝撃を与えることができる。変形した領域の面積および深さは、慣性ブロック２から受けた最大加速度の強度を示すものである。図２の例では、灰色の領域は、壁が壁の深さに対して変形した深さを表し、この場合の強度は２つの軸で異なっている。慣性ブロック２は、立方体のハウジング４の中に収容されてよく、これによって２つの軸に沿った加速度を示すことができる。最善の解決策は、慣性ブロックを筒状または球状のハウジング４の中に収容して、一般に慣性ブロック自体の軸を除いてどの軸に沿っても、または図１３の例での慣性ブロック自体の軸上でも表示を提供することである。
【００４３】
図８および図９の実施形態では、１つの衝撃証明インジケータ２０では、壁６は慣性ブロック２よりも延性が低く、慣性ブロックが壁６と衝突したとき、慣性ブロックが低加速度閾値よりも高い加速度に供されたとき、慣性ブロックは不可逆的な局所変形を受けるように構成されている。慣性ブロック２は、この場合、永続的に変形する材料で作製される。対向面５、とりわけスチール、ルビーなどの壁６の硬い内面、とりわけ対向面５、とりわけ平坦な内面に当たると、形跡が見える形で残り、その変形した形状によって受けた最大加速度の算出が可能になる。
【００４４】
図３の実施形態では、衝撃証明インジケータ２０では、少なくとも１つの壁６、好ましくは各壁６は、対向面５、とりわけ内面が表面コーティング７でコーティングされ、この表面コーティングは、慣性ブロック２が当たったとき、慣性ブロック２が低加速度閾値よりも高い加速度に供されたときに、慣性ブロック２に転写堆積物７１の形態で少なくとも部分的に転写されるように構成されている。この表面層７は、インクまたは染料の層、酸化物粉末または金属粉末、あるいはグリースなどの粘性製品であってよい。図２と同じく、図３は簡易化して示され、ハウジング４は一部のみで、２つの内面５は直角に二面体を形成し、各内面は、慣性ブロック２が異なる方向にもたらした衝撃によって生じた異なるサイズの転写堆積物を有している。
【００４５】
図５は、図３の逆の構成を示しており、この場合、衝撃証明インジケータ２０では、表面層７でコーティングされているのは慣性ブロック２であり、表面層は、慣性ブロックが壁６に衝突したとき、慣性ブロックが低加速度閾値よりも高い加速度に供されたときに、対向面５、とりわけ内面に少なくとも部分的に転写されるように構成されている。慣性ブロック２は、顔料またはカラーインクなどの層でコーティングされ得る。対向面５、とりわけ内面に当たると、非常に見えやすい着色された堆積物が対向面５、とりわけ内面上にできる。衝撃によって着色された領域は、この場合、堆積物が表面の堆積物であるため両方の軸でほぼ同じサイズである。正確な加速度値を算出することは困難だが、受けた加速度が所与の値を超えたことがわかる。衝撃を受けた壁６が変形しない材料で作製されている場合、図５に見えているように、いくつかの慣性ブロック２を平行に使用できる。どの慣性ブロック２、または複数の慣性ブロック２が色を堆積させたかを判断することで最大加速度が示される。測定値は離散化されるため、単一の慣性ブロック２よりも高精度である。
【００４６】
別の変形例は、構造体１０の壁または腕時計ケース１１０の他の部材１２０の壁である対向面５に関し、前記壁は、可逆的に変形可能である。特に、可逆的に変形可能な材料、例えば発泡体で作製された壁６を使用でき、着色された領域の直径は、衝撃を受けた壁６が可逆的変形を受けた際の最大加速度を示すものである。
【００４７】
図６および図１２は、一変形例を示しており、この場合、衝撃証明インジケータ２０では、慣性ブロック２は、対向面５、とりわけ内面の近辺に構成されている崩壊性部材８の崩壊性材料に当たるように構成され、かつ、崩壊性部材が慣性ブロック２および／または壁６と衝突したとき、慣性ブロック２が低加速度閾値よりも高い加速度に供されたときに、前記崩壊性部材８を少なくとも部分的に崩壊させるように構成されている。衝撃を受けた崩壊性構成要素８は、所与の衝撃力の下で崩壊するように適切なサイズになっていなければならない。特定の変形例では、崩壊性構成要素８は、低加速度閾値よりも高い加速度の作用下では、慣性ブロック２がなくとも単独で崩壊するように設計される。図７は、複数の崩壊性構成要素８を示し、各々が異なる曲げ抵抗性を有し、受けた加速度をより高精度で示すように平行に配置されている。図７のこの構成は、単一の慣性ブロックまたは複数の同一もしくは異なる慣性ブロックと協働することができる。
【００４８】
図１２の変形例に見られるように、特に、慣性ブロック２が低加速度閾値よりも高い加速度に供されたときの衝撃で、接続部材３および／または慣性ブロック２および／または少なくとも１つの崩壊性部材８が崩壊するように設計されている場合、該当するその部材、または２つ以上ある場合は複数の該当する部材は、ハウジング４内部にある少なくとも１つの可撓性外被９内にそれぞれが包囲されるため、この部材またはこれらの部材のそれぞれが損傷した場合、前記損傷から生じた破片は可撓性外被９内に包囲されたままになる。さらに詳細には、少なくとも１つの崩壊性部材８は、ハウジング４内部にある可撓性外被９内に包囲されるため、崩壊性部材８が損傷した場合には、前記損傷から生じた破片は、図１２に見られるように、可撓性外被９内に包囲されたままになり、図は、筒状ハウジング４の母面に構成された複数の崩壊性部材８を取り囲んでいる１つのそのような可撓性外被９を示している。
【００４９】
そのため、慣性ブロック２は、崩壊性構成要素８のセラミック、ニッケルリン、サファイアなどの崩壊性材料に衝撃を与えてもよい。前記構成要素が崩壊した場合、構成要素は慣性ブロック２に当てられたと推定でき、受けた加速度を算出することが可能である。
【００５０】
上記に説明したように、別の変形例では、慣性ブロック２を省略し、曲げ抵抗性のない崩壊性構成要素８を直接使用して受けた加速度を計算することを検討することが可能である。曲がった際に崩壊する崩壊性構成要素８は、初期の崩壊が起こるように窪んでいてもよい。複数の崩壊性構成要素８が一緒に使用され、図７に見られるキーボードの要領で、各々が異なる形状で、かつ／または窪み大小様々であれば、この場合も同じく、受けた最大加速度をより高精度に算出することが可能である。
【００５１】
特に、少なくとも１つのハウジング４は、慣性ブロック２と、前記慣性ブロック２に連結している少なくとも１つの接続部材３とを完全に包囲する。この構成により、腕時計１００の内部が悪影響を受けるのを防止するという利点が得られるほか、対象となる衝撃証明インジケータ２０の改造防止も容易になる。このハウジング４は、特に、インサート３０に属していてもよく、インサートの位置は、構造体１０に対して割り出しされ、構造体に固定され、腕時計１００の内部で使用者の手の届かない所にある。そのため、アフターサービスは、インサートが腕時計１００から取り出されて開けられると、このインサート３０のみに対して実施でき、その際このインサート３０は、完全な位置特定システムを含んでいて、腕時計内での位置およびケース１１０または腕時計１００に対する角度位置を特定する。
【００５２】
有利には、改造を防止するため、少なくとも１つのハウジング４は、図１０または図１３に見られるように、腕時計１００の使用者の手が届かないキャップ４１で密閉される。
【００５３】
特に、図４および図５に見られるように、装置１は、複数の衝撃証明インジケータ２０を備え、これらのインジケータは、低加速度閾値が異なっていることで区別される。そのため、腕時計の寿命のある間に超えた最高加速度値を算出することが可能である。各慣性ブロック２は、慣性ブロック２に面している壁６に様々な加速強度で当たるが、１つの軸のみに沿って当たる。図４は変形を利用する変形例を示し、この場合、衝撃を受けた壁６は、不可逆的に変形し、図５は転写堆積物７１を用いる変形例を示し、いずれの場合でも、超過した最大加速度値を算出することが可能である。
【００５４】
図１６は、説明した他の変形例の逆である変形例を示し、この場合、腕時計プレート１０は、Ｖ字型を形成している２つの可撓性ストリップ３を備え、このストリップはねじれが可撓性で、２つが共同でＵ字型の慣性ブロック２を保持し、慣性ブロックは、ケース中央部１２０に固定されたピンを包囲し、対向面５を有する。
【００５５】
本発明は、少なくとも１つのそのような衝撃インジケータ装置１を備えている腕時計１００にも関する。
【００５６】
さらに詳細には、少なくとも１つの構造体１０は、腕時計１００に含まれているケース１１０の部材１２０に固定されるか、ケース１１０と一体化しているか、ケース１１０の一部で、とりわけケース中央部、または背面カバー、またはフランジ、またはプレートなどの一部である。
【００５７】
本発明は、以下の多数の利点をもたらすものである。
−試験中または消費者が着用しているときに腕時計が受けた最大加速度の算出が容易になる。
−最大加速度値を所望の精度に調整することが可能である。
−衝撃を受けた領域を基準測定値と比較することで、実際の最大加速度の測定が実施しやすくなる。
−複数の軸に対して、あるいは３次元での測定が可能である。
−位置を変化させられる突出部材を必要とせずに、ケース中央部、プレート、背面カバーなどの腕時計の構造構成要素の内部に衝撃インジケータ装置を取り付けることが可能である。
−衝撃インジケータを配置するために腕時計内部のどの自由空間でも使用できる。
−装置の取り換えが容易で、専門家によるアフターサービスの後に構成要素を１つ交換するだけでよい。
−装置が小型である。
−低コストである。
【符号の説明】
【００５８】
１  衝撃インジケータ
２  慣性ブロック
３  接続部材
４  ハウジング
５  対向面
６  壁
８  崩壊性部材
９  可撓性外被
１０  構造体
２０  衝撃証明インジケータ
３０  インサート
３１  基体
３２  螺旋ばね
１００  腕時計
１１０  ケース
１２０  別の部材
【図１】
2019015726.tif 000003
【図２】
2019015726.tif 000004
【図３】
2019015726.tif 000005
【図４】
2019015726.tif 000006
【図５】
2019015726.tif 000007
【図６】
2019015726.tif 000008
【図７】
2019015726.tif 000009
【図８】
2019015726.tif 000010
【図９】
2019015726.tif 000011
【図１０】
2019015726.tif 000012
【図１１】
2019015726.tif 000013
【図１２】
2019015726.tif 000014
【図１３】
2019015726.tif 000015
【図１４】
2019015726.tif 000016
【図１５】
2019015726.tif 000017
【図１６】
2019015726.tif 000018